(57)【要約】【課題】カバー開閉装置において、収納空間を広く確保しつつも、カバーが起立した開状態においてカバーの突出量を小さくすることを、簡素な動作で実現することが可能な技術を提供する。【解決手段】カバー開閉装置は、スライド孔に挿通されるとともにカバーに接続される回動軸部を有する被ガイド体と、本体部の側壁に設けられ、被ガイド体をガイドするガイド部と、を備え、ガイド部は、カバーの回動軸回りの回動に伴って被ガイド体をガイドすることによって、カバーの回動軸回りの回動量に応じて回動軸部のスライド孔における前後位置を変化させ、回動軸部のスライド孔における位置は、カバーが閉蓋姿勢のときにおいて第１位置となり、カバーが開蓋姿勢のときにおいて第１位置よりもカバーの起立位置に接近した第２位置となる。【選択図】図７
2019083919.tif 000002
【特許請求の範囲】
【請求項１】
天板に設けられた開口を開閉自在とするカバー開閉装置であって、
前記天板に嵌め込まれることで前記開口を形成する本体部と、
前記本体部に取り付けられ、前記開口を覆う略水平な閉蓋姿勢と前記開口を開放するとともに前記開口の内側で起立した開蓋姿勢とで姿勢を変更可能なカバーと、
前記本体部における一対の側壁に形成されたスライド孔と、
前記スライド孔に挿通されるとともに前記カバーに接続される回動軸部を有する被ガイド体と、
前記本体部の前記側壁に設けられ、前記被ガイド体をガイドするガイド部と、を備え、
前記回動軸部は、前記カバーの回動軸を形成し、
前記カバーは、前記閉蓋姿勢にある状態から前記回動軸回りに回動することによって、前記開蓋姿勢に至り、
前記ガイド部は、前記カバーの前記回動軸回りの回動に伴って前記被ガイド体をガイドすることによって、前記カバーの前記回動軸回りの回動量に応じて前記回動軸部の前記スライド孔における前後位置を変化させ、
前記回動軸部の前記スライド孔における位置は、前記カバーが前記閉蓋姿勢のときにおいて第１位置となり、前記カバーが前記開蓋姿勢のときにおいて前記第１位置よりも前記カバーの起立位置に接近した第２位置となる、
カバー開閉装置。
【請求項２】
前記カバーの前記回動軸回りの回動をロックするロック構造を備え、
前記ロック構造は、前記被ガイド体に形成された弾性部と、前記ガイド部に形成されて前記弾性部を係止する係止部と、を有し、
前記カバーを所定以上の力で回動させようとすると、前記弾性部が変形することで前記係止部による前記弾性部の係止が解除される、
請求項１に記載のカバー開閉装置。
【請求項３】
前記被ガイド体は、前記回動軸部を介して前記カバーに接続されるとともに前記本体部における前記側壁の外側に配置される回動部を有し、
前記回動部は、前記カバーとともに前記回動軸回りに回動し、
前記ガイド部は、前記本体部における前記側壁の外側面に形成されるとともに、前記回動部と係合することによって前記被ガイド体をガイドする、
請求項１又は２に記載のカバー開閉装置。
【発明の詳細な説明】
【技術分野】
【０００１】
本発明は、カバー開閉装置に関する。
【背景技術】
【０００２】
従来、コンピュータなどの電子機器に接続するケーブルを挿通するためのコードホールが天板に設けられているテーブルが広く知られている。このコードホールを開閉可能とする装置として、ケーブル等を収容できる本体と、使用者による回動操作によってコードホールを開閉可能なカバーとを備えたカバー開閉装置が知られている。
【０００３】
このようなカバー開閉装置として、例えば、特許文献１には、蓋体が開姿勢にある状態において、蓋体を下方へスライド可能に支持するスライド支持部を有し、開状態において該蓋体の全部又は一部を前記枠体の上面より下側に収納可能としたカバー装置が開示されている。
【先行技術文献】
【特許文献】
【０００４】
【特許文献１】特許第４６３９７７９号公報
【発明の概要】
【発明が解決しようとする課題】
【０００５】
特許文献１に記載のカバー装置によれば、開状態において該蓋体の全部又は一部を前記枠体の上面より下側に収納可能とすることによって、収納空間を確保しつつも開状態における蓋体の突出量を小さくすることができる。しかしながら、特許文献１に記載のカバー装置では、蓋体を収納するためには、一旦、蓋体の上面が枠体の上面と略直交する開状態としてから、蓋体を下方へスライドする必要があり、操作が煩雑であった。また、特許文献１に記載のカバー装置では、カバーを開閉させるための回動機構とカバーを下方にスライドさせるためのスライド機構とを別々に設けているため、構造が複雑となっていた。
【０００６】
本発明は、上記の問題を鑑みてなされたものであり、その目的は、カバー開閉装置において、収納空間を広く確保しつつも、カバーが起立した開状態においてカバーの突出量を小さくすることを、簡素な動作で実現することが可能な技術を提供することである。
【課題を解決するための手段】
【０００７】
上記課題を解決するため、本発明は、以下の手段を採用した。即ち、本発明は、
テーブルの天板に設けられた開口を開閉自在とするカバー開閉装置であって、
前記天板に嵌め込まれることで前記開口を形成する本体部と、
前記本体部に取り付けられ、前記開口を覆う略水平な閉蓋姿勢と前記開口を開放するとともに前記開口の内側で起立した開蓋姿勢とで姿勢を変更可能なカバーと、
前記本体部における一対の側壁に形成されたスライド孔と、
前記スライド孔に挿通されるとともに前記カバーに接続される回動軸部を有する被ガイド体と、
前記本体部の前記側壁に設けられ、前記被ガイド体をガイドするガイド部と、を備え、
前記回動軸部は、前記カバーの回動軸を形成し、
前記カバーは、前記閉蓋姿勢にある状態から前記回動軸回りに回動することによって、前記開蓋姿勢に至り、
前記ガイド部は、前記カバーの前記回動軸回りの回動に伴って前記被ガイド体をガイドすることによって、前記カバーの前記回動軸回りの回動量に応じて前記回動軸部の前記ス
ライド孔における前後位置を変化させ、
前記回動軸部の前記スライド孔における位置は、前記カバーが前記閉蓋姿勢のときにおいて第１位置となり、前記カバーが前記開蓋姿勢のときにおいて前記第１位置よりも前記カバーの起立位置に接近した第２位置となる、カバー開閉装置である。
【０００８】
本発明によれば、カバーが開蓋姿勢のときにおいて、回動軸部の位置を第１位置よりもカバーの起立位置側の第２位置とすることによって、閉蓋姿勢から開蓋姿勢に姿勢を変化させる際に、カバーを起立位置側に逃がすことができる。これにより、姿勢変化の途中でカバーがカバー装置内の被収納物に干渉することを抑制することができる。その結果、開蓋姿勢におけるカバーの開口からの突出量を小さく抑えて見栄えを良くするとともに、カバー開閉装置の内部空間を広く確保することができる。更に、本発明によれば、カバーの回動軸回りの回動量に応じて、回動軸部の前後位置を変化させることができることから、カバーを回動させることによる一連の開閉操作のみで、複雑な操作をすることなく、回動軸部の位置を第１位置から第２位置へと至らしめることができる。
【０００９】
また、本発明は、
前記カバーの前記回動軸回りの回動をロックするロック構造を備え、
前記ロック構造は、前記被ガイド体に形成された弾性部と、前記ガイド部に形成されて前記弾性部を係止する係止部と、を有し、
前記カバーを所定以上の力で回動させようとすると、前記弾性部が変形することで前記係止部による前記弾性部の係止が解除される、カバー開閉装置であってもよい。
【００１０】
これによると、カバーを把持して回動操作をしている使用者に適度なクリック感（節度感）を提供することができる。使用者は、例えば、クリック感に基づいてカバーの開閉度を認識することができる。その結果、本発明によれば、カバーの開閉操作における操作感を向上させることができる。更に、本発明は、使用者が把持して操作するカバーに接続された被ガイド体に弾性変形する弾性部が形成されていることから、使用者に対してダイレクトにクリック感を提供することができる。
【００１１】
更に、前記被ガイド体は、前記回動軸部を介して前記カバーに接続されるとともに前記本体部における前記側壁の外側に配置される回動部を有し、
前記回動部は、前記カバーとともに前記回動軸回りに回動し、
前記ガイド部は、前記本体部における前記側壁の外側面に形成されるとともに、前記回動部と係合することによって前記被ガイド体をガイドしてもよい。
【００１２】
これによれば、被ガイド体をガイドする構造が本体部の外側に設けられているため、本体部内部の収納空間を広く確保することができる。
【発明の効果】
【００１３】
本発明によれば、カバー開閉装置において、収納空間を広く確保しつつも、カバーが起立した開状態においてカバーの突出量を小さくすることを、簡素な動作で実現することが可能となる。
【図面の簡単な説明】
【００１４】
【図１】図１は、実施形態に係るスタックテーブルが使用状態にあるときの全体斜視図である。
【図２】図２は、実施形態に係るスタックテーブルが使用状態にあるときの側面図である。
【図３】図３は、実施形態に係るスタックテーブルが折畳状態にあるときの全体斜視図である。
【図４】図４は、実施形態に係るスタックテーブルが折畳状態にあるときの側面図である。
【図５】図５は、実施形態に係るコードホールユニットが閉状態にあるときの全体斜視図である。
【図６】図６は、実施形態に係るコードホールユニットが開状態にあるときの全体斜視図である。
【図７】図７は、被収納物が収納されたコードホールユニットが開状態にあるときの全体斜視図である。
【図８】図８は、実施形態に係るコードホールユニットの分解図である。
【図９】図９は、実施形態に係るユニット本体の上面図である。
【図１０】図１０は、実施形態に係るスタックテーブルが使用状態にあるときの断面図である。
【図１１】図１１は、実施形態に係るスタックテーブルが折畳状態にあるときの断面図である。
【図１２】図１２は、実施形態に係るシャフト部材の軸方向視図である。
【図１３】図１３は、実施形態に係るガイド部を示す図である。
【図１４】図１４は、実施形態に係るコードホールユニットが閉状態にあるときの側面図である。
【図１５】図１５は、実施形態に係るコードホールユニットが開状態にあるときの側面図である。
【図１６Ａ】図１６Ａは、比較例１に係るカバーの開閉動作を模式的に説明するための図である。
【図１６Ｂ】図１６Ｂは、比較例２に係るカバーの開閉動作を模式的に説明するための図である。
【図１６Ｃ】図１６Ｃは、実施形態に係るカバーの開閉動作を模式的に説明するための図である。
【図１７】図１７は、実施形態に係る変形例を示す図である。
【発明を実施するための形態】
【００１５】
以下、本発明の好適な実施の形態について、図面を参照して説明する。但し、以下で説明する実施形態は本発明を実施するための例示であり、本実施形態に記載されている構成要素の寸法、材質、形状、その相対配置等は、特に特定的な記載がない限りは、発明の技術的範囲をそれらのみに限定する趣旨のものではない。図１はスタックテーブル１００が使用状態のときの全体斜視図、図２はスタックテーブル１００が使用状態のときの側面図、図３はスタックテーブル１００が折畳状態のときの全体斜視図、図４はスタックテーブル１００が折畳状態のときの側面図である。本実施形態に係るスタックテーブル１００は、図１及び図２に示すような使用状態と、図３及び図４に示すような折畳状態とに状態を変更自在である。スタックテーブル１００は、折畳状態となることによって、前後にスタッキング（積み重ね）可能である。
【００１６】
［全体構成］
図１及び図３に示すように、本実施形態に係るスタックテーブル１００は、全体として左右対称に形成されている。以下、左右対称に設けられた構成については、同一の符号を付して説明する。スタックテーブル１００は、天板１と、天板１を支える左右の脚体２，２と、左右方向に延在するとともに脚体２を接続するビーム３と、天板１の下面両側端に固定され天板１をビーム３回りに回動可能に連結する天板回動機構１０，１０と、天板１及び脚体２に連結されると共に天板１の下方に略垂直に配置される幕板４と、幕板４の前面に設けられた配線トレー４０と、天板１と幕板４とを連結するとともに天板１の回動に連動することによって幕板４の姿勢を制御する幕板制御機構５，５と、天板１の下面に固定される棚５０と、を備える。スタックテーブル１００は、全体として左右対称に形成さ
れている。なお、本明細書では、使用者が着座する側を「手前」側とし、その反対側、即ち幕板４側を「奥（後）」側とする。また、使用状態において、天板１、脚体２，２で囲まれる領域を「下肢空間」とする。本実施形態に係るスタックテーブル１００は、更に、天板１に設けられて天板１の上方空間と下肢空間とを連通させることで配線（コード）を引き回し可能とするとともに内部にタップＴ等を収納可能なコードホールユニット３０を備える。以下、スタックテーブル１００の各構成について説明する。
【００１７】
天板１は、主には、使用状態にあるスタックテーブル１００において、その表側面にＰＣ等を載置して使用者が作業可能とするための部材である。天板１は、上面視において左右方向に長尺な略長方形状の外形を有する。図１及び図２に示すように、スタックテーブル１００が使用状態にあるときは、天板１は、略水平な水平姿勢となる。また、図３及び図４に示すように、スタックテーブル１００が折畳状態にあるときは、天板１は、脚体２の支持脚２１の後縁に沿うように略垂直に起立した起立姿勢となる。なお、以下の説明において、天板１の表側面、裏側面、前端部、後端部について言及するときは、天板１の姿勢に関わらず、天板１が水平姿勢のときの天板１における上面、下面、前端部、後端部のことを指す。天板１の表側面における後部には、天板１を上下に貫通する開口によって、天板１の表側面から裏側面に貫通するコードホール１１が形成されている（図１０参照）。コードホール１１には、後述するコードホールユニット３０が配設される。
【００１８】
天板１は、水平姿勢若しくは起立姿勢において、天板回動機構１０によって、夫々の姿勢にロック（維持）されている。使用者は、天板回動機構１０から露出した操作レバー１０１を天板１に近づく方向に押し上げることによって天板回動機構１０のロックを解除し、天板１を水平姿勢と起立姿勢との間で回動変位させることができる。スタックテーブル１００は、天板１が水平姿勢若しくは起立姿勢に至ったとき、天板回動機構１０によってロックが掛かるように構成されている。
【００１９】
脚体２は、天板回動機構１０を介して天板１を支持する部材である。図２及び図３に示すように、脚体２は側面視において略倒Ｔ字形状を有している。脚体２は、手前側に若干傾斜するようにして斜上方に延在する支持脚２１と、支持脚２１の下端部より前後二方向に延在し地面に接地する接地脚２２とを有する。また、接地脚２２の端部には、スタックテーブル１００を円滑に移動させるためのキャスター２３が設けられている。
【００２０】
ビーム３は、脚体２同士を接続することでスタックテーブル１００の剛性を高めると共に、天板１の回動軸Ａとなる部材である。ビーム３は、鉄鋼系材料で成形された鋼管である。上述したように、ビーム３は、ビーム３接続プレートを介して左右の脚体２同士を接続する。ビーム３が天板回動機構１０を介して左右の脚体２同士を接続することによって梁部材として機能するため、スタックテーブル１００の構造体としての剛性を確保することができる。また、ビーム３は、天板１の回動軸としての機能も備えている。そのため、本実施形態に係るスタックテーブル１００は、天板１の回動軸を別途設けたスタックテーブル１００と比較して、より広い下肢空間を確保することができる。
【００２１】
天板回動機構１０は、天板１をビーム３に対して回動可能とする機構であり、天板１の姿勢を水平姿勢若しくは起立姿勢にロックする機能を備えている。天板回動機構１０は、天板１の裏側面に設けられており、その内部に脚体２と係合して天板１の姿勢をロックする姿勢維持構造を有している。また、天板回動機構１０は、ビーム３の側面を摺動可能に構成されている。使用者が天板回動機構１０から露出する操作レバー１０１を天板１に近づく方向に押し上げることによって、姿勢維持構造と脚体２との係合が解除され、天板１をビーム３回りに回動して天板１の姿勢を変化させることが可能となる。このような天板回動機構１０には、既存の様々な構成を採用することができる。左右の天板回動機構１０，１０は、図示しない連動パイプによって連結されることによって互いに連動するように
なっている。これにより、使用者が一方の操作レバー１０１を回動操作するのみで、左右の天板回動機構１０，１０を同時に操作することができる。
【００２２】
幕板４は、主に、使用状態にあるスタックテーブル１００を奥側から見たときに下肢空間を隠すための部材である。図３に示すように、幕板４は、正面視において左右方向に長尺な略長方形状の外形を有する。幕板４の左右幅は、脚体２同士の間隔よりも長尺となっている。幕板４は、後述する幕板制御機構５を介して天板１と連動するようにリンク５２連結されたものであり、天板１の姿勢の切り替えに伴って、姿勢を変化可能に設けられている。より具体的には、図１及び図２に示すように、天板１が水平姿勢のときにおいては、幕板４は、天板１の下方であって脚体２よりも後側に位置し、天板１と所定の間隔を空けて垂下する使用姿勢となる。また、図３及び図４に示すように、天板１が起立姿勢のときにおいては、幕板４は、その前面が脚体２の支持脚２１の後縁に当接した状態で天板１の裏側面と脚体２の後縁の間に収納される収納姿勢となる。これにより、スタックテーブル１００は、天板１を起立姿勢とした折畳状態となることによって、前後にスタッキング（積み重ね）可能となっている。
【００２３】
また、図３に示すように、幕板４の前面における上部には、配線を載置可能な配線トレー４０が設けられている。配線トレー４０は、幕板４の前面に対して略直角に設けられるとともに左右に延在する板状部分を有しており、天板１に設けられたコードホール１１から引き回した配線を載置可能となっている。
【００２４】
幕板制御機構５は、天板１と幕板４とを連結するとともに天板１の回動に連動することによって幕板４の姿勢を制御する。幕板制御機構５は、主に、天板側ブラケット５１と幕板側ブラケット５３を介して天板１と幕板４とを連結するリンク５２と、幕板４と脚体２とを連結するステー５４と、を有する。幕板制御機構５は、天板１の回動に伴ってリンク５２及びステー５４を回動させることによって、幕板４の姿勢を使用姿勢から収納姿勢に変化させる。このような幕板制御機構５には、既存の様々な構成を採用することができる。
【００２５】
［コードホールユニット］
次に、本発明の「カバー開閉装置」の一例としてのコードホールユニット３０について説明する。本実施形態に係るコードホールユニット３０は、内部の収納空間を広く確保しつつも、カバー７１を開けたときにおけるカバー７１の突出量を小さくし、且つ、カバー７１の開閉操作時において使用者に適度なクリック感を提供することができる。
【００２６】
図５〜７は、本実施形態に係るコードホールユニット３０を示す図である。図５は、閉状態のコードホールユニット３０を示し、図６は、開状態のコードホールユニット３０を示し、図７は、開状態のコードホールユニット３０にタップＴが収納されている状態を示す。また、図８は、コードホールユニット３０の分解図である。図５〜８に、コードホールユニット３０における前後、左右、上下を示す。コードホールユニット３０は、その前方向がスタックテーブル１００の手前側と一致するように設けられる。但し、本発明はこれに限定されない。コードホールユニット３０は、スタックテーブル１００において、前後逆に設けられてもよい。
【００２７】
コードホールユニット３０は、天板１の上方空間と下肢空間とを連通させるとともに、内部にタップＴ等の被収納物を収納可能である。図８に示すように、コードホールユニット３０は、筐体となる本体部としてのユニット本体６と、カバー７１を備えたリッド７と、回動軸部８２を備えた一対のシャフト部材８，８と、を有する。コードホールユニット３０は、天板１のコードホール１１に嵌め込まれることで天板１に配設され、図５に示すような、カバー７１を略水平な閉蓋姿勢とすることで内部が覆われた閉状態と、図６及び
図７に示すような、カバー７１を略垂直な開蓋姿勢とすることで内部が開放された開状態とで、状態を切り替えることができる。カバー７１は、符号Ａで示す軸を回動軸として回動することで姿勢を変化させる。回動軸Ａは、スタックテーブル１００の左右方向と一致する。本実施形態に係るコードホールユニット３０はカバー７１の姿勢に伴って回動軸Ａの前後位置を変化させることができる。以下、コードホールユニット３０の各構成について説明する。
【００２８】
［ユニット本体］
図９は、ユニット本体６の上面図である。ユニット本体６は、天板１のコードホール１１に嵌入される部材であり、内部に収納部Ｓを形成する。また、ユニット本体６は、収納部Ｓにリッド７を開閉可能に収納する。ユニット本体６は、上下面が開口した略直方体の箱形状を有している。図８に示すように、ユニット本体６は、上部に設けられるとともに開口を有する上壁６１と、左右に対向配置される側壁６４，６４と、手前に配置される前壁６２と、前壁６２と対向配置される後壁６３と、を有する。ユニット本体６の内部には、上壁６１と側壁６４，６４と前壁６２と後壁６３に囲まれることによって、タップＴ等の被収納物やリッド７を収納可能な空間である収納部Ｓが形成されている。
【００２９】
図９に示すように、収納部Ｓには、垂直に延在する隔壁６５によって、タップＴ等の被収納物を収納可能な器具収納領域Ｓ１と、リッド７を収納する蓋収納領域Ｓ２とが区画されている。隔壁６５は、閉蓋姿勢にあるカバー７１と干渉しないように、収納部Ｓの上端と間隔を空けて下方に設けられている。隔壁６５は、前壁６２の内面から側壁６４と平行に延在するとともに、左右の側壁６４，６４から所定の間隔を空けて設けられた一対の第１隔壁６５１，６５１を有する。一対の第１隔壁６５１，６５１は、後壁６３の内面の手前まで延在している。また、第１隔壁６５１と当該第１隔壁６５１に対向する側壁６４との間隔は、後述するリッド７の軸接続部７２の厚み寸法以上である。また、隔壁６５は、前壁６２と平行に延在するとともに、一対の対向する第１隔壁６５１，６５１の先端同士を接続する第２隔壁６５２を有する。第２隔壁６５２は、後壁６３と間隔を空けて設けられている。また、隔壁６５は、前壁６２と平行に延在するとともに、第１隔壁６５１と当該第１隔壁６５１に対向する側壁６４とを接続する第３隔壁６５３を有する。第３隔壁６５３は、前壁６２の内面の間隔を空けて設けられている。
【００３０】
このような隔壁６５が形成されることによって、収納部Ｓには、前壁６２と第１隔壁６５１，６５１と第２隔壁６５２によって囲まれた上面視矩形状の器具収納領域Ｓ１が区画されている。また、収納部Ｓには、後壁６３と側壁６４，６４と第３隔壁６５３によって囲まれた上面視略コ形状の蓋収納領域Ｓ２が区画されている。
【００３１】
器具収納領域Ｓ１には、更に、鉛直方向と平行に設けられた仕切壁６６によって、タップ収納領域Ｓ１１とコネクタ収納領域Ｓ１２とが区画される。タップ収納領域Ｓ１１は、タップＴを嵌め込み可能となっている。また、タップ収納領域Ｓ１１内には、タップ収納領域Ｓ１１に嵌め込まれたタップＴを下面から支持する支持板６７が前壁６２から第２隔壁６５２にかけて延在している。また、コネクタ収納領域Ｓ１２には、下肢空間から引き回したＬＡＮケーブルのコネクタを収納可能となっている。コネクタ収納領域Ｓ１２には、コネクタを懸吊可能とするコネクタ懸吊部６８が、側壁６４の内面から突出している。
【００３２】
蓋収納領域Ｓ２において、第２隔壁６５２と後壁６３との間の領域を、カバー収納領域Ｓ２１とする。カバー収納領域Ｓ２１は、カバー７１の姿勢変化時において、カバー７１の後縁が通過する領域であって、開蓋姿勢にあるカバー７１の一部が収納される領域である。また、蓋収納領域Ｓ２において、第１隔壁６５１と当該第１隔壁６５１に対向する側壁６４との間の領域を、軸収納領域Ｓ２２とする。軸収納領域Ｓ２２には、閉蓋姿勢と開蓋姿勢におけるリッド７の軸接続部７２が収納される。
【００３３】
また収納部Ｓには、水平に延在するとともに、第１隔壁６５１と当該第１隔壁６５１に対向する側壁６４と第３隔壁６５３と前壁６２とを接続する当接壁６９，６９が形成されている。当接壁６９は、閉蓋姿勢にあるカバー７１の下面と当接する。
【００３４】
上壁６１は、上面視において矩形状を有しており、その周縁が収納部Ｓの外側に向かって突出することによって、コードホール１１の縁に係合するフランジ部６１２を形成している。また、上壁６１には、略矩形状の開口であるアクセス開口６１１が形成されている。アクセス開口６１１は、上面視において、器具収納領域Ｓ１の全域と蓋収納領域Ｓ２の一部が視認できるように形成されている。より詳細には、アクセス開口６１１の手前側の内縁が前壁６２の内面と同一面上に位置し、左右両側の内縁が一対の側壁６４，６４の夫々の内面と同一面上に位置し、後側の内縁が後壁６３の内面と第２隔壁６５２の後面との間に位置する。アクセス開口６１１は、閉蓋姿勢におけるカバー７１によってアクセス開口６１１の全域が覆われるとともに開蓋姿勢におけるカバー７１とアクセス開口６１１の後側の内縁とが干渉しないように設計されている。
【００３５】
また、図８に示すように、側壁６４には、略矩形状を有するスライド孔６４１が形成されている。スライド孔６４１は、側壁６４を貫通することでユニット本体６の外部と軸収納領域Ｓ２２とを連通している。スライド孔６４１は、後述するシャフト部材８の回動軸部８２が挿通されるとともに、カバー７１の開閉動作における回動軸部８２の移動を許容する。
【００３６】
また、図８に示すように、前壁６２には、器具収納領域Ｓ１に収納されたタップＴやＬＡＮケーブルの配線をコードホールユニット３０の外部に引き回すための配線口６２１が形成されている。ここで、図１０は、使用状態にあるスタックテーブル１００を左右方向と直交する平面で切断したときの断面図である。また、図１１は、折畳状態にあるスタックテーブル１００を左右方向と直交する平面で切断したときの断面図である。図１０に示すように、コードホールユニット３０は、ユニット本体６が天板１に形成されたコードホール１１に嵌め込まれることでスタックテーブル１００に備え付けられる。スタックテーブル１００のコードホール１１は、配線口６２１に対応する部分の内壁が切り欠かれることによって、配線口６２１からコードホールユニット３０の手前側に引き出された配線を天板１の裏面側の空間に引き回すことを可能とする配線通路１２を形成している。これにより、コードホールユニット３０から配線口６２１を介して配線を配線トレー４０へ引き回すことができる。図１０に示すように、スタックテーブル１００が使用状態にあるときは、コードホールユニット３０が配線通路１２の直上に位置している。また、図１０に示すように、スタックテーブル１００が折畳状態にあるときは、起立姿勢にある天板１と収納姿勢にある幕板４とが対向しているものの、配線通路１２が幕板４の上端よりも上方に位置している。これにより、配線を折り曲げることなく配線トレー４０に引き回すことができる。このように、本実施形態に係るスタックテーブル１００によれば、コードホールユニット３０を天板１の後部に配置した場合であっても、使用状態と折畳状態との状態変化に影響を受けることなく、コードホールユニット３０からの配線を配線トレー４０に引き回すことができる。
【００３７】
［リッド］
図８に示すように、リッド７は、略矩形状を有する板部材であるカバー７１と、カバー７１の両側縁から延在する板部材である一対の軸接続部７２，７２と、を有する。一対の軸接続部７２，７２は、互いに対向するとともに、カバー７１に対して垂直に延在している。また、軸接続部７２の先端付近には、リッド７とシャフト部材８とを接続するための嵌入孔７２１が厚み方向に貫通している。嵌入孔７２１は略小判形状を有しており、後述するシャフト部材８の嵌入部８２１を嵌入可能となっている。図５に示すように、カバー
７１は、閉蓋姿勢となることによって、アクセス開口６１１の全域を覆うように形成されている。
【００３８】
［シャフト部材］
シャフト部材８は、リッド７に接続されるとともに、カバー７１の回動軸Ａを形成する部材である。シャフト部材８は、本発明の「被ガイド体」の一例である。図８に示すように、シャフト部材８は、略円盤形状を有する回動部８１と、略円柱形状を有するとともに回動部８１の略中央から垂直に起立して設けられた回動軸部８２と、を有している。回動軸部８２の中心軸は、カバー７１の回動軸Ａを形成する。回動軸部８２の先端には、軸方向視において略小判形に形成された嵌入部８２１が形成されている。
【００３９】
図１２は、軸方向視におけるシャフト部材８を示しており、回動軸部８２側からシャフト部材８を見た状態を示す図である。ここで、軸方向視において回動軸Ａを通る所定の直線を第１直線Ｌ１とし、回動軸Ａを通るとともに第１直線Ｌ１と直交する直線を第２直線Ｌ２とする。図１２に示すように、回動部８１は、軸方向視において第２直線Ｌ２を対称軸として線対称な形状を有している。回動部８１において第１直線Ｌ１によって区画された一方の領域は、歯車のように複数の突起が設けられることで、歯車部８４を形成している。歯車部８４は、後述する下ガイド部９２と係合する部分である。また、回動部８１において第１直線Ｌ１によって区画された他方の領域は、一対の弾性片８３１，８３１が設けられることで、係合部８３を形成している。係合部８３は、後述する上ガイド部９１に係合する部分である。
【００４０】
歯車部８４は、軸方向視において、回動軸Ａを中心とする円弧状の外面を形成する歯車ベース部８４５と、歯車ベース部８４５から径方向に突出した支点突起８４１と一対の被収納突起８４２，８４２と一対の当接突起８４３，８４３と、を有する。支点突起８４１は、軸方向視において第２直線Ｌ２上に形成されている。一対の当接突起８４３，８４３は、第２直線Ｌ２を対称軸として線対称に設けられている。当接突起８４３は、支点突起８４１に対して回動軸Ａ回りに所定の角度間隔を空けた位置に形成されている。一対の被収納突起８４２，８４２は、第２直線Ｌ２を対称軸として線対称に設けられている。被収納突起８４２は、支点突起８４１と当接突起８４３の間の位置に形成されている。支点突起８４１、被収納突起８４２、当接突起８４３は、夫々の先端が平坦面となっている。
【００４１】
係合部８３は、円盤形状の一部が切り欠かれることによって形成された一対の弾性片８３１，８３１を有する。一対の弾性片８３１，８３１は、歯車部８４側を基端として互いに接近するように湾曲して延在した腕部８３１ａ，８３１ａと、夫々の腕部８３１ａに形成された爪部８３１ｂと、を有する。爪部８３１ｂは、腕部８３１ａの先端から一対の腕部８３１ａ，８３１ａの内側であって若干歯車部８４側に折れ曲がるようにして突出して形成された突起である。爪部８３１ｂ，８３１ｂ同士の間隔は、後述する係止突起９１２の幅よりも小さい。ここで、腕部８３１ａにおいて、一対の弾性片８３１，８３１の外側に位置する面を、腕側当接面８３２ｃとする。また、爪部８３１ｂにおいて、歯車部８４と反対側に位置する面を、爪側当接面８３１ｄとする。爪部８３１ｂが若干歯車部８４側に折れ曲がるようにして形成されていることから、一対の爪部８３１ｂ，８３１ｂの爪側当接面８３１ｄ，８３１ｄによって、後述する係止突起９１２を受け入れ可能な空間が形成されている。このようにして構成される弾性片８３１は、弾性を有しており、弾性変形することで歯車部８４側に撓むことが可能である。
【００４２】
[ガイド部]
図１３は、ガイド部９を示す図である。図１３に示すように、本体の側壁６４には、シャフト部材８を支持するとともにカバー７１の開閉動作において回動部８１をガイドするガイド部９が設けられている。ガイド部９は、スライド孔６４１の上方に形成された上ガ
イド部９１と、スライド孔６４１の下方に形成された下ガイド部９２と、を有する。ここで、スライド孔６４１の前後方向における中央線をＬ３とする。図１３に示すように、ガイド部９は、ユニット本体６の側面視、即ち軸方向視において、中央線Ｌ３を対称軸として略線対称に形成されている。
【００４３】
上ガイド部９１は、カバー７１の開閉動作の際に弾性片８３１をガイドするとともに、閉蓋姿勢と開蓋姿勢において弾性片８３１と係合することによって、カバー７１の姿勢をロックする。上ガイド部９１は、スライド孔６４１の周囲を囲むようにして上側に膨らんだ曲線を描いて側壁６４に立設されたガイド壁９１１を有する。ガイド壁９１１には、略半円形状を有する一対の係止突起９１２，９１２が下方に突出している。係止突起９１２，９１２は、中央線Ｌ３を対称軸として、略線対称の位置に形成されている。ここで、一対の係止突起９１２，９１２のうち、前側の係止突起９１２を第１係止突起９１２１とし、後側の係止突起９１２を第２係止突起９１２２とする。係止突起９１２は、本発明における「係止部」の一例である。
【００４４】
下ガイド部９２は、土台となるガイドベース部９２１と、上方に突出する一対のガイド突起９２２，９２２と、一対の規制突起９２３，９２３と、を有する。一対のガイド突起９２２，９２２は、軸方向視において中央線Ｌ３を対称軸として線対称の位置に互いに間隔を空けて形成されている。一対の規制突起９２３，９２３は、軸方向視において中央線Ｌ３を対称軸として線対称の位置であって、ガイド突起９２２，９２２の外側にガイド突起９２２と間隔を空けて形成されている。一対のガイド突起９２２，９２２とガイドベース部９２１とによって、下に凹んだ支持溝９２４が形成されている。支持溝９２４の幅、即ち、一対のガイド突起９２２同士の間隔は、シャフト部材８の支点突起８４１の幅よりも大きい。支持溝９２４の底部は略平坦面となっている。また、隣り合うガイド突起９２２と規制突起９２３とガイドベース部９２１とによって、下に凹んだ収納溝９２５が一対形成されている。収納溝９２５の底部は略平坦面となっており、支持溝９２４の底部よりも下方に位置する。収納溝９２５の幅、即ち、ガイド突起９２２と規制突起９２３の間隔は、シャフト部材８の被収納突起８４２の幅よりも大きい。ここで、一対の規制突起９２３，９２３のうち、前側の規制突起９２３を第１規制突起９２３１とし、後側の規制突起９２３を第２規制突起９２３２とする。また、一対の収納溝９２５，９２５のうち、前側の収納溝９２５を第１収納溝９２５１とし、後側の収納溝９２５を第２収納溝９２５２とする。
【００４５】
［動作］
図１４は、閉状態にあるコードホールユニット３０の軸方向視図である。また、図１５は、開状態にあるコードホールユニット３０の軸方向視図である。図１４及び図１５を参照して、カバー７１の姿勢を閉蓋姿勢から開蓋姿勢に変化させる際のガイド部９によるカバー７１の姿勢制御について説明する。本実施形態に係るコードホールユニット３０は、閉蓋姿勢にあるカバー７１をホールユニットの後部のカバー収納領域Ｓ２１に収納するとともにカバー７１の前端部が上方に向くようにカバー７１を起立させて開蓋姿勢とすることで、閉状態から開状態となる。本実施形態に係るコードホールユニット３０は、カバー７１の姿勢を閉蓋姿勢から開蓋姿勢に変化させる一連の動作において、カバー７１を回動させながら回動軸部８２を後方に移動させる。これにより、器具収納領域Ｓ１のスペースを広く確保するとともに、開蓋姿勢にあるカバー７１のアクセス開口６１１からの突出量を小さくすることができる。以下、詳細に説明する。なお、以下の説明において、カバー７１を閉蓋姿勢から開蓋姿勢に変化させるためにリッド７が回動軸部８２回りに回動する方向を第１方向Ｒ１とし、その反対方向を第２方向Ｒ２とする。また、シャフト部材８に設けられた一対の腕部８３１ａ，８３１ａのうち、回動軸Ａ回りに第２方向Ｒ２側に位置する弾性片８３１を第１弾性片８３１１とし、第１方向Ｒ１側にある弾性片８３１を第２弾性片８３１２とする。また、シャフト部材８における一対の被収納突起８４２，８４２
のうち、支点突起８４１に対して回動軸Ａ回りに第１方向Ｒ１側に位置する被収納突起８４２を第１被収納突起８４２１とし、第２方向Ｒ２側にある被収納突起８４２を第２被収納突起８４２２とする。同様に、一対の当接突起８４３，８４３のうち、支点突起８４１に対して回動軸部８２回りに第１方向Ｒ１側に位置する当接突起８４３を第１当接突起８４３１とし、第２方向Ｒ２側にある当接突起８４３を第２当接突起８４３２とする。
【００４６】
上述したように、カバー７１が閉蓋姿勢にあるとき、アクセス開口６１１がカバー７１によって覆われており、且つ、カバー７１の前端部の下面がユニット本体６の当接壁６９に当接している。また、図１４に示すように、シャフト部材８の第１被収納突起８４２１が下ガイド部９２の第１収納溝９２５１に収納されており、第１被収納突起８４２１の先端が第１収納溝９２５１の底部に当接している。この状態では、支点突起８４１の先端が支持溝９２４の底部から離れている。カバー７１の前端部の下面がユニット本体６の当接壁６９に当接していることに加え、閉蓋姿勢にあるカバー７１を更に第２方向Ｒ２へ回動させようとしても、第１当接突起８４３１が第１規制突起９２３１に当接することから、回動軸部８２の第２方向Ｒ２への回動が規制されている。
【００４７】
更に、カバー７１が閉蓋姿勢にあるときは、図１４に示すように、上ガイド部９１の第１係止突起９１２１に係合部８３が係合している。具体的には、一対の弾性片８３１，８３１に設けられた爪部８３１ｂ，８３１ｂの爪側当接面８３１ｄ，８３１ｄに第１係止突起９１２１が当接している。これにより、第１係止突起９１２１は、一対の爪側当接面８３１ｄに挟まれた状態となっている。この状態では、第１係止突起９１２１が第１弾性片８３１１の爪部８３１ｂの爪側当接面８３１ｄに当接している。そのため、閉蓋姿勢にあるカバー７１を第１方向Ｒ１に回動させようとしても第１弾性片８３１１が突っ張ることとなる。これにより、カバー７１の姿勢がロックされ、閉蓋姿勢にあるカバー７１が不用意に第１方向Ｒ１に回動することが抑制されている。以上のようにしてカバー７１の閉蓋姿勢が維持されている。ここで、カバー７１が閉蓋姿勢にあるとき、回動軸部８２は中央線Ｌ３よりも手前側に位置している。この、閉状態における回動軸部８２の位置を、第１位置とする。
【００４８】
次に、カバー７１を開蓋姿勢に至らせる際の動作について説明する。まず、使用者は、カバー７１を把持しカバー７１を第１方向Ｒ１に回動させようとする。弾性片８３１の第１係止突起９１２１に対する突っ張りに抗してカバー７１を第１方向Ｒ１へ回動させようとする力が所定の大きさを超えると、第１弾性片８３１１が第１係止突起９１２１によって付勢され、腕部８３１ａが歯車部８４側に撓った状態となる。そして、第１弾性片８３１１の爪部８３１ｂにおける爪側当接面８３１ｄが第１係止突起９１２１を乗り越えることで、係合部８３と第１係止突起９１２１との係合が解除される。これにより、係止突起９１２によるカバー７１の第１方向Ｒ１への回動のロックが解除される。このとき、爪部８３１ｂが第１係止突起９１２１を乗り越えることによってロックが解除されるため、カバー７１を把持している使用者に適度なクリック感（節度感）を提供することができる。
【００４９】
カバー７１の第１方向Ｒ１への回動に伴い、歯車部８４の第１被収納突起８４２１が第１収納溝９２５１から離間するとともに支点突起８４１が支持溝９２４内に収納される。そして、支持溝９２４の底部に支点突起８４１の先端が当接し、支点突起８４１の先端を支点として、シャフト部材８及びカバー７１が第１方向Ｒ１に回動する。これにより、回動軸Ａが支点突起８４１の先端と支持溝９２４の底部との接触点を中心とする略円弧軌道を描くように、回動軸部８２がスライド孔６４１内を第１位置から奥方向に移動する。カバー７１を第１方向Ｒ１へ更に回動させようとすると、支点突起８４１の先端面と支持溝９２４の底部との当接が解除されるとともに第２被収納突起８４２２が第２収納溝９２５２内に収納される。
【００５０】
このとき、第２弾性片８３１２が第２係止突起９１２２に至るまでは、カバー７１の第１方向Ｒ１への回動が上ガイド部９１に阻害されることはない。そして、第２弾性片８３１２における腕側当接面８３２ｃが第２係止突起９１２２に当接することで、第２弾性片８３１２が第２係止突起９１２２に対して突っ張った状態となる。この状態でカバー７１を第１方向Ｒ１へ更に回動させようとすると、第２弾性片８３１２が第２係止突起９１２２によって付勢され、腕部８３１ａが歯車部８４側に撓った状態となる。そして、第２弾性片８３１２の腕部８３１ａにおける腕側当接面８３２ｃが第２係止突起９１２２を乗り越えることで、第２係止突起９１２２が一対の弾性片８３１の爪部８３１ｂにおける爪側当接面８３１ｄに挟まれた状態となる。このとき、腕部８３１ａが第２係止突起９１２２を乗り越えることによって弾性片８３１の第２係止突起９１２２に対する突っ張り状態が解消されるため、使用者に適度なクリック感を提供することができる。
【００５１】
そして、第２被収納突起８４２２が第２収納溝９２５２内に収納されるとともに第２係止突起９１２２が一対の弾性片８３１，８３１の爪部８３１ｂ，８３１ｂにおける爪側当接面８３１ｄ，８３１ｄに挟まれた状態となることで、カバー７１がカバー収納領域Ｓ２１に収納されて、図１５に示す起立状態となる。このとき、回動軸部８２は、中央線Ｌ３を対称軸として第１位置と略線対称の位置である第２位置に至る。第２位置は、第１位置に対してカバー７１の起立位置により近い位置となる。また、第１位置と第２位置の高さ位置は略同じである。
【００５２】
開蓋姿勢にあるカバー７１を更に第１方向Ｒ１へ回動させようとしても、下ガイド部９２の第２当接突起８４３２が第２規制突起９２３２に当接するため、回動軸部８２の第２方向Ｒ２への回動が規制されている。また、カバー７１が開蓋姿勢にあるときは、第２係止突起９１２２が第２弾性片８３１２の爪部８３１ｂの爪側当接面８３１ｄに当接している。そのため、開蓋姿勢にあるカバー７１を第２方向Ｒ２に回動させようとしても第２弾性片８３１２が突っ張ることとなる。これにより、カバー７１の姿勢がロックされ、開蓋姿勢にあるカバー７１が不用意に第２方向Ｒ２に回動することが抑制されている。以上のようにして、カバー７１の開蓋姿勢が維持されている。
【００５３】
開蓋姿勢にあるカバー７１を閉蓋姿勢とするためには、上記と逆の操作をすればよい。即ち、カバー７１を第２方向Ｒ２へ回動させて回動軸部８２を第２位置から第１位置へと移動させることで、カバー７１が開蓋姿勢から閉蓋姿勢に至る。この場合においても、第２弾性片８３１２の爪部８３１ｂが第２係止突起９１２２を乗り越えるときと、第１弾性片８３１１の腕部８３１ａが第２係止突起９１２２を乗り越えるときにおいて、使用者に適度なクリック感を提供することができる。
【００５４】
［比較例］
ここで、図１６Ａは、比較例１に係るコードホールユニット３０ａによるカバー７１の開閉動作を模式的に説明するための図である。また、図１６Ｂは、比較例２に係るコードホールユニット３０ｂによるカバー７１の開閉動作を模式的に説明するための図である。また、図１６Ｃは、本実施形態に係るコードホールユニット３０によるカバー７１の開閉動作を模式的に説明するための図である。
【００５５】
比較例１は、回動軸部８２を第１位置に固定としたものである。比較例２は、閉蓋姿勢において回動軸部８２が第２位置に位置するように回動軸部８２が設けられ、且つ、回動軸部８２を第２位置に固定としたものである。比較例１と比較例２のカバー７１の形状及び大きさは、本実施形態に係るカバー７１と同一である。図１６Ａに示す比較例１のように、回動軸部８２を第１位置に固定した場合、姿勢変化の途中でカバー７１がタップＴに干渉し、カバー７１を開蓋姿勢とすることができない。従って、回動軸部８２を第１位置に固定しつつも、カバー７１を開閉させるには、器具収納領域Ｓ１をより小さくしなけれ
ばならない。
【００５６】
一方、図１６Ｂに示す比較例２においては、回動軸部８２が第１位置よりも後方の第２位置にあるため、カバー７１がタップＴに干渉することなく、カバー７１を開蓋姿勢とすることができる。しかしながら、カバー７１の前端部の回動軸Ａからの距離が比較例１よりも長尺となるため、カバー７１の前端部が比較例よりも大きな円弧を描いてカバー７１が開蓋姿勢に至る。その結果、開蓋姿勢におけるカバー７１のアクセス開口６１１からの突出量が比較例１の場合よりも大きくなる。その結果、見栄えが悪くなる虞がある。
【００５７】
これらに対し、本実施形態に係るコードホールユニット３０は、カバー７１の前端部の回動軸Ａからの距離を比較例１と同等とし、回動軸部８２の位置を第１位置から第１位置よりもカバー７１の起立位置側の第２位置に変化させながらカバー７１を閉蓋姿勢から開蓋姿勢に至らしめる。これにより、閉蓋姿勢から開蓋姿勢に姿勢を変化させる際に、カバー７１を後方（起立位置側）に逃がすことができる。これにより、姿勢変化の途中でカバー７１がタップＴに干渉することを抑制することができる。また、第１位置と第２位置が同じ高さ位置であることから、開蓋姿勢におけるカバー７１のアクセス開口６１１からの突出量を比較例１と同等とすることができる。
【００５８】
［作用・効果］
以上のように、本実施形態に係るコードホールユニット３０によると、カバー７１は、閉蓋姿勢にある状態から回動軸Ａ回りに第１方向Ｒ１へ回動することによって、アクセス開口６１１の内側に起立した開蓋姿勢に至る。また、ガイド部９は、カバー７１の回動軸Ａ回りの回動に伴ってシャフト部材８をガイドすることによって、カバー７１の前記回動軸回りの回動量に応じて回動軸部８２のスライド孔６４１における前後位置を変化させることができる。そして、回動軸部８２のスライド孔６４１における位置は、カバー７１が閉蓋姿勢のときにおいて第１位置となり、カバー７１が開蓋姿勢のときにおいて第１位置よりも後方、即ち、カバー７１の起立位置に接近した第２位置となる。このような本実施形態に係るコードホールユニット３０によれば、カバー７１が開蓋姿勢のときにおいて、回動軸部８２の位置を第１位置よりもカバー７１の後方（起立位置側）の第２位置とすることによって、閉蓋姿勢から開蓋姿勢に姿勢を変化させる際に、カバー７１を後方（起立位置側）に逃がすことができる。これにより、姿勢変化の途中でカバー７１がタップＴ等の被収納物に干渉することを抑制することができる。その結果、開蓋姿勢におけるカバー７１のアクセス開口６１１からの突出量を小さく抑えつつも、器具収納領域Ｓ１を広く確保することができる。その結果、コードホールユニット３０が開状態のときにおけるスタックテーブル１００の見栄えを良くするとともに、コードホールユニット３０内の器具収納領域Ｓ１を広くすることができる。更に、本実施形態に係るコードホールユニット３０は、ガイド部９が、カバー７１の回動軸Ａ回りの回動に伴って回動部８１をガイドし、カバー７１の回動軸Ａ回りの回動量に応じて回動軸部８２の前後位置を変化させることができる。これにより、カバー７１を回動させることによる一連の開閉操作のみで、複雑な操作をすることなく、回動軸部８２の位置を第１位置から第２位置へと至らしめてカバー７１を被収納物から退避させる方向にスライドさせることができる。また、本実施形態に係るコードホールユニット３０は、ガイド部９によって、閉蓋姿勢から開蓋姿勢となるためのカバー７１の回動をガイドしつつも、カバー７１を被収納物から退避させる方向にスライドさせることができる。その結果、カバー７１を開閉させるための回動機構とカバー７１をスライドさせるためのスライド機構とを別々に設けている場合と比較して、より簡素な構造とすることができる。
【００５９】
更に、本実施形態に係るコードホールユニット３０は、シャフト部材８に形成された弾性片８３１と、ガイド部９に形成されて弾性片８３１を係止する係止突起９１２と、を有しており、係止突起９１２が弾性片８３１を係止することによってカバー７１の回動軸Ａ
回りの回動がロックされる。そして、カバー７１を所定以上の力で回動させようとすると、弾性片８３１が変形することで係止突起９１２による係止が解除される。これにより、カバー７１を把持して回動操作をしている使用者に適度なクリック感（節度感）を提供することができる。使用者は、例えば、クリック感に基づいてカバー７１の開閉度を認識することができる。その結果、本実施形態に係るコードホールユニット３０によれば、カバー７１の開閉操作における操作感を向上させることができる。更に、本実施形態に係るコードホールユニット３０は、使用者が把持して操作するカバー７１に接続されたシャフト部材８に弾性変形する弾性片８３１が形成されている。これにより、ガイド部９側に設けられた係止突起９１２を弾性変形させる場合と比較して、使用者に対してよりダイレクトにクリック感を提供することができる。
【００６０】
なお、本実施形態において、係止突起９１２と弾性片８３１とを組み合わせた構成が、本発明の「ロック構造」の一例である。また、係止突起９１２の数量及び位置は、上記に限定されない。係止突起９１２は、例えば、第１係止突起９１２１と第２係止突起９１２２との間の複数個所に等間隔で設けてもよい。これにより、カバー７１の開度を段階的に調節することができ、使用者がクリック感に基づいてカバー７１の開閉度をより細かく認識することができる。
【００６１】
更に、上述のように、シャフト部材８には、回動軸部８２を介してカバー７１に接続されるとともにユニット本体６における側壁６４の外側に配置され、カバー７１とともに回動軸Ａ回りに回動する回動部８１が形成されている。また、ガイド部９は、側壁６４の外側面に形成され、回動部８１と係合することによって、シャフト部材８をガイドする構成となっている。これによると、シャフト部材８をガイドする構造がユニット本体６の外側に設けられているため、ユニット本体６内部の収納空間を広く確保することができる。
【００６２】
［変形例］
図１７は、本実施形態に係る変形例を示す図である。図１７に示すように、変形例に係るコードホールユニット３０Ａは、シャフト部材とガイド部の形状においてコードホールユニット３０と異なる。以下、変形例に係るコードホールユニット３０Ａについて、コードホールユニット３０との相違点を中心に説明する。
【００６３】
図１７に示すように、コードホールユニット３０Ａは、回動部８１に代えて、回動軸部８２が接続されるカム部８０１と、カム部８０１から延在する弾性片８０２と、を有する。カム部８０１は、偏心した形状を有している。また、弾性片８０２は、弾性を有しており、カム部８０１から延在する棒形状に形成されている。但し、弾性片８０２は、突起形状であってもよい。
【００６４】
また、ユニット本体６Ａに設けられたガイド部９Ａは、回動軸部８２の上下方向の移動を規制するとともに前後方向の移動を許容するスライド孔６４１Ａと、上ガイド部９１Ａを有している。上ガイド部９１は、弾性片８０２をガイドするガイド壁９１１と、ガイド壁９１１に形成されるとともに弾性片８０２の先端を収納する係止部としての係止溝９３と、ガイド壁９１１の両端に形成されてカム部８０１をガイドするカムガイド９４と、を有する。係止溝９３は、図１７（ａ）に示す回動軸部８２が第１位置にあるときに弾性片８０２の先端を収納する第１係止溝９３１と、図１７（ｃ）に示す回動軸部８２が第２位置にあるときに弾性片８０２の先端を収納する第２係止溝９３２と、図１７（ｂ）に示す回動軸部８２が第１位置と第２位置の中間位置である第３位置にあるときに弾性片８０２の先端を収納する第３係止溝９３３と、を有する。各係止溝９３が弾性片８０２の先端を収納することで、回動軸部８２の回動がロックされる。変形例に係るコードホールユニット３０Ａは、回動軸部８２が第１位置と第２位置の中間位置である第３位置にあるときに回動軸部８２の回動をロックすることで、カバー７１が閉蓋姿勢と開蓋姿勢との中間の姿
勢にある状態で、カバー７１の姿勢を維持することができる。
【００６５】
また、各係止溝９３による回動軸部８２のロックは、弾性片８０２を撓ませて弾性片８０２の先端に係止溝９３を乗り越えらせることによって解除される。これにより、各係止溝９３によるロックが解除される際に、使用者に適度なクリック感を提供することができる。その結果、使用者によるカバー７１の開閉操作における操作感を向上させることができる。ここで、本実施形態に係るコードホールユニット３０は、シャフト部材８を自己潤滑性と靱性の高い材料で一体成形することによって、回動軸部８２と弾性片８３１とを摺動部品としつつも、これらの耐久性を高めることができる。
【００６６】
また、カムガイド９４は、カバー７１の姿勢変化の過程においてカム部８０１に対して前後方向から当接している。ここで、カムガイド９４のうち、手前側のカムガイド９４を第１カムガイド９４１、後側のカムガイド９４を第２カムガイド９４２とする。そして、カム部８０１は、回動軸Ａ回りの角度変化に伴って回動軸Ａと周縁との距離が変化するように形成されている。具体的には、カム部８０１は、回動軸部８２が第１位置にある状態からの第１方向Ｒ１への回動に伴って回動軸Ａと第１カムガイド９４１が離間するとともに回動軸Ａと第２ガイドが接近するように形成されている。これにより、閉蓋姿勢にあるカバー７１を開蓋姿勢に至らせる動作に伴って、回動軸部８２が第１位置から第２位置へと移動する。その結果、コードホールユニット３０の内部空間を確保しつつも、開蓋姿勢におけるカバー７１の開口からの突出量を小さくすることができる。なお、同様にして、閉蓋姿勢にあるカバー７１を開蓋姿勢に至らせる動作に伴って、回動軸部８２が第２位置から第１位置に移動する。このように、カムガイド９４がカバー７１の回動軸Ａ回りの回動に伴ってカム部８０１をガイドすることによって、カバー７１の回動軸Ａ回りの回動量に応じて、回動軸部８２の前後位置を変化させることができる。その結果、複雑な操作をすることなく、回動軸部８２の位置を第１位置から第２位置へと至らしめることができる。
【００６７】
なお、上記した種々の内容は、本発明の技術的思想を逸脱しない範囲において、可能な限り組み合わせることができる。また、上述の実施形態では、天板の姿勢を変更可能なスタックテーブルを適用例として説明したが、本発明はこれには限定されず、天板が固定式のデスクに適用してもよい。本発明に係るカバー開閉装置は、テーブルの天板に限らず、デスクの天板やカウンター天板など、種々の天板に適用することができる。また、本発明の被収納物は、タップＴやコネクタ等の器具に限定されない。また、上記の実施形態に記載されている構成要素の寸法、材質、形状、その相対配置等は、特に特定的な記載がない限りは、発明の技術的範囲をそれらのみに限定する趣旨のものではない。
【符号の説明】
【００６８】
１・・・天板
２・・・脚体
３・・・ビーム
４・・・幕板
５・・・幕板制御機構
６・・・ユニット本体
７・・・リッド
７１・・・カバー
８・・・シャフト部材
８１・・・回動部
８２・・・回動軸部
９・・・ガイド部
９１・・・上ガイド部
９２・・・下ガイド部
１０・・・天板回動機構
３０・・・コードホール
４０・・・配線トレー
５０・・・棚
１００・・・スタックテーブル
Ｓ・・・収納部
【図１】
2019083919.tif 000003
【図２】
2019083919.tif 000004
【図３】
2019083919.tif 000005
【図４】
2019083919.tif 000006
【図５】
2019083919.tif 000007
【図６】
2019083919.tif 000008
【図７】
2019083919.tif 000009
【図８】
2019083919.tif 000010
【図９】
2019083919.tif 000011
【図１０】
2019083919.tif 000012
【図１１】
2019083919.tif 000013
【図１２】
2019083919.tif 000014
【図１３】
2019083919.tif 000015
【図１４】
2019083919.tif 000016
【図１５】
2019083919.tif 000017
【図１６Ａ】
2019083919.tif 000018
【図１６Ｂ】
2019083919.tif 000019
【図１６Ｃ】
2019083919.tif 000020
【図１７】
2019083919.tif 000021